(57)【要約】【課題】携帯性に適した薄型でバッテリー駆動式という特徴に加え、未使用時に収容するときの操作性、ならびにバッテリー充電時の操作性に優れた画像形成装置を提供する。【解決手段】クレイドル９５０は、インクジェットプリンタ８００にバッテリーチャージャー９００を取り付けた状態で、未使用時に矢印Ｂ方向に挿入することにより置き台として機能する。バッテリーチャージャー９００を取り付けたインクジェットプリンタ８００をクレイドル９５０に収容すると、バッテリーチャージャー９００の接点部とクレイドル９５０のコンタクト端子部が電気的に接続される。このため、クレイドル９５０のＣＤＬ−ＤＣｉｎジャック９５６にＡＣアダプターケーブルを差しておくことで、バッテリーチャージャー９００に内蔵されているバッテリーに充電が行われる。【選択図】　　図１
2004122482.tif 000002
【特許請求の範囲】
【請求項１】
置き台であるところの別体の収容スタンドに収容可能である画像形成装置。
【請求項２】
画像形成時は平置き形態で使用し、非使用時は縦置き形態での収容が可能な画像形成装置であって、非使用時に前記収容スタンドに収容する形態をとる、請求項１に記載の画像形成装置。
【請求項３】
画像形成装置を駆動するバッテリーと、前記バッテリーを充電するための充電手段を有し、非使用時に前記収容スタンドに収容することによって前記バッテリーへの充電が行われる、請求項１または２に記載の画像形成装置。
【請求項４】
前記バッテリーと前記充電手段が前記画像形成装置に着脱可能に構成された充電装置に内蔵されており、前記充電装置を前記画像形成装置に取り付けた状態で前記収容スタンドに収容することによって前記バッテリーへの充電が行われる、請求項３に記載の画像形成装置。
【請求項５】
前記充電装置の背面に接点部を有し、前記収容スタンドにコンタクト端子部を有し、前記充電装置を取り付けた前記画像形成装置を前記収容スタンドに収容することによって、前記接点部と前記コンタクト端子部が電気的に接続される、請求項４に記載の画像形成装置。
【請求項６】
前記充電装置の接点部および前記収容スタンドのコンタクト端子部は、それぞれ前記充電装置、前記収容スタンドの接続面の中央部に配置され、且つ対称形態である、請求項５に記載の画像形成装置。
【請求項７】
前記クレイドルは前記コンタクト端子部を保護するシャッター機構を有し、前記充電装置を取り付けた前記画像形成装置を前記収容スタンドに収容することによって、前記シャッター機構が退避する、請求項６に記載の画像形成装置。
【請求項８】
前記コンタクト端子部の接点圧および前記シャッター機構の退避に要する負荷は、前記充電装置のみの重量より小さい、請求項７に記載の画像形成装置。
【請求項９】
前記充電装置は前記画像形成装置のＤＣ入力用ジャックを覆う目隠し部位を有し、前記充電装置を取り付けた前記画像形成装置を前記収容スタンドに収容すると、前記充電装置のＤＣ入力用ジャックを前記収容スタンドの構成部位が覆う、請求項４から８のいずれかに記載の画像形成装置。
【請求項１０】
前記バッテリーは前記画像形成装置に、前記充電手段は前記収容スタンドに内蔵され、前記画像形装置を前記収容スタンドに収容することによって前記バッテリーへの充電が行われる、請求項３に記載の画像形成装置。
【請求項１１】
前記画像形成装置の背面に接点部を有し、前記収容スタンドにコンタクト端子部を有し、前記画像形成装置を前記収容スタンドに収容することによって、前記接点部と前記コンタクト端子部が電気的に接続される、請求項１から３のいずれか、または請求項１０に記載の画像形成装置。
【請求項１２】
前記画像形成装置の接点部および前記収容スタンドのコンタクト端子部は、それぞれ前記画像形成装置、前記収容スタンドの接続面の中央部に配置され、且つ対称形態である、請求項１から３のいずれか、または請求項１０または１１に記載の画像形成装置。
【請求項１３】
前記収容スタンドは前記コンタクト端子部を保護するシャッター機構を有し、前記画像形成装置を前記収容スタンドに収容することによって、前記シャッター機構が退避する、請求項５から９のいずれか、または請求項１１または１２に記載の画像形成装置。
【請求項１４】
前記コンタクト端子部の接点圧および前記シャッター機構の退避に要する負荷は、前記画像形成装置の重量より小さい、請求項５から９のいずれか、または請求項１１から１３のいずれかに記載の画像形成装置。
【請求項１５】
前記充電装置または前記画像形成装置のいずれかに前記バッテリーの充電状態を示す表示手段を有し、前記画像形成装置を前記収容スタンドに収容した時にも、前記表示手段を認識できる構成である、請求項３から１４のいずれかに記載の画像形成装置。
【請求項１６】
前記収容スタンドに前記画像形成装置を前後どちらの向きに収容しても、前記バッテリーの充電状態を示す表示手段が認識可能であり、かつ前記接点部と前記コンタクト端子部が電気的に接続可能である、請求項５から９のいずれか、または請求項１１から１５のいずれかに記載の画像形成装置。
【請求項１７】
前記画像形成装置を前記収容スタンドに収容した時、前記画像形成装置に対して開閉可能なカバーを兼ねる記録シート供給トレーが開かない構成である、請求項１から１６のいずれかに記載の画像形成装置。
【請求項１８】
前記画像形成装置にＩ／Ｆケーブルを接続した状態で前記収容スタンドに収容可能である、請求項１から１７のいずれかに記載の画像形成装置。
【発明の詳細な説明】
【０００１】
【発明の属する技術分野】
本発明は画像形成装置に関し、特にバッテリー駆動が可能で持ち運びが容易な薄型の画像形成装置に関する。
【０００２】
【従来の技術】
画像形成装置として広く知られているインクジェット記録装置は、低騒音、低ランニングコスト、装置が小型化しやすい、カラー化が容易である等の理由でプリンタや複写機に利用されている。
【０００３】
また、近年のコンピュータの小型化に伴い、ノート型などの携帯型コンピュータが普及していて、それに伴ない携帯性に主眼をおいた小型の画像形成装置が考案されている。
【０００４】
携帯用途の画像形成装置に求められる要求としては、持ちやすさ（ハンドリング）や鞄などへの収納に適した薄型であることや、バッテリー駆動が可能で且つ手軽に充電ができることなどが特に重要視されている。
【０００５】
そのような要求に応えて、薄型のノート型プリンタにバッテリー内蔵の充電装置を取り付けて使用する携帯用途の製品が市場に送り出されている。
【０００６】
【発明が解決しようとする課題】
しかしながら、このような薄型のプリンタを、未使用時に収容場所を取らないために、プリンタが設置される面に対してプリンタ筐体の平坦な方向が略平行となる置き方（「平置き」と呼ばれる。）から同方向が略垂直になる置き方（「縦置き」と呼ばれる。）にすると、薄型であるが故に安定性に欠けるものであった。このため、プリンタをバランス良く置くために慎重に操作したり、安定化を図るために設置面積を広げる足部材を別アクションで出し入れしたりする必要があった。
【０００７】
また、バッテリーを充電する時には、プリンタ本体または、このプリンタ本体に取り付けた充電装置に、ＡＣアダプターなどの電源ケーブルを差し込み、充電が完了して携帯しようとする時には、接続していた電源ケーブルを外す操作が必要であり、手軽に充電でき、携帯し、使用するには不適な構成であった。
【０００８】
本発明の目的は、このような事情を鑑みて、携帯性に適した薄型でバッテリー駆動式という特徴に加え、未使用時に収容するときの操作性、ならびにバッテリー充電時の操作性に優れた画像形成装置を提供することにある。
【０００９】
【課題を解決するための手段】
上記目的を達成するために、本発明の画像形成装置は、置き台であるところの別体の収容スタンド（以下、「クレイドル」と呼ぶ。）に収容可能であることを特徴とする。
【００１０】
この画像形成装置は、画像形成時は平置き形態で使用し、非使用時は縦置き形態での収容が可能な画像形成装置であって、非使用時にクレイドルに収容する形態をとるものである。
【００１１】
上記の画像形成装置は、画像形成装置を駆動するバッテリーと、前記バッテリーを充電するための充電手段を有し、非使用時にクレイドルに収容することによって前記バッテリーへの充電が行われるものが好ましい。
【００１２】
前記バッテリーと前記充電手段が前記画像形成装置に着脱可能に構成された充電装置に内蔵されており、前記充電装置を前記画像形成装置に取り付けた状態でクレイドルに収容することによって前記バッテリーへの充電が行われるものが好ましい。
【００１３】
前記充電装置の背面に接点部を有し、前記クレイドルにコンタクト端子部を有し、前記充電装置を取り付けた画像形成装置を前記クレイドルに収容することによって、前記接点部と前記コンタクト端子部が電気的に接続されるものが好ましい。
【００１４】
前記充電装置の接点部および前記クレイドルのコンタクト端子部は、それぞれ前記充電装置、前記クレイドルの接続面の中央部に配置され、且つ対称形態であるものが好ましい。
【００１５】
前記クレイドルは前記コンタクト端子部を保護するシャッター機構を有し、前記充電装置を取り付けた画像形成装置を前記クレイドルに収容することによって、前記シャッター機構が退避するものが好ましい。
【００１６】
前記コンタクト端子部の接点圧および前記シャッター機構の退避に要する負荷は、前記充電装置のみの重量より小さいことが好ましい。
【００１７】
前記充電装置は前記画像形成装置のＤＣ入力用ジャックを覆う目隠し部位を有し、前記充電装置を取り付けた前記画像形成装置を前記クレイドルに収容すると、前記充電装置のＤＣ入力用ジャックを前記クレイドルの構成部位が覆うものが好ましい。
【００１８】
また、上記のような画像形成装置の態様に代えて、前記バッテリーは前記画像形成装置に、前記充電手段は前記クレイドルに内蔵され、前記画像形装置を前記クレイドルに収容することによって前記バッテリーへの充電が行われる画像形成装置であってもよい。
【００１９】
このような別の態様において、前記画像形成装置の背面に接点部を有し、前記クレイドルにコンタクト端子部を有し、前記画像形成装置を前記クレイドルに収容することによって、前記接点部と前記コンタクト端子部が電気的に接続されるものが好ましい。
【００２０】
上記のような別の態様において、前記画像形成装置の接点部および前記クレイドルのコンタクト端子部は、それぞれ前記画像形成装置、前記クレイドルの接続面の中央部に配置され、且つ対称形態であるものが好ましい。
【００２１】
上記のような別の態様において、前記クレイドルは前記コンタクト端子部を保護するシャッター機構を有し、前記画像形成装置を前記クレイドルに収容することによって、前記シャッター機構が退避するものが好ましい。
【００２２】
この場合、前記コンタクト端子部の接点圧および前記シャッター機構の退避に要する負荷は、前記画像形成装置の重量より小さいことが好ましい。
【００２３】
また、上述した各々の態様の画像形成装置は、前記充電装置または前記画像形成装置のいずれかに前記バッテリーの充電状態を示す表示手段を有し、前記画像形成装置を前記クレイドルに収容した時にも、前記表示手段を認識できる構成であることが好ましい。
【００２４】
前記クレイドルに前記画像形成装置を前後どちらの向きに収容しても、前記充電状態を示す表示手段が認識可能であり、かつ前記接点部と前記コンタクト端子部が電気的に接続可能であるものが好ましい。
【００２５】
前記画像形成装置を前記クレイドルに収容した時、前記画像形成装置に対して開閉可能なカバーを兼ねる記録シート供給トレーが開かない構成であるものが好ましい。
【００２６】
前記画像形成装置にＩ／Ｆケーブルを接続した状態で前記クレイドルに収容可能であるものが好ましい。
【００２７】
前記クレイドルの内部床面に、前記クレイドルに収容する前記充電装置または前記画像形成装置の足部を支持する弾性部材を配したものが好ましい。
【００２８】
前記クレイドルに収容する前記画像形成装置の設置面積よりも前記クレイドルの床面への設置面積が大きいことが好ましい。
【００２９】
上述した各態様の画像形成装置は厚さが３インチ以下の薄型であることが好ましい。
【００３０】
上述した各態様の画像形成装置には、画像形成手段が記録媒体にインクを吐出して画像を形成する記録ヘッドであることが好ましい。
【００３１】
以上の構成によれば、携帯性に適した薄型でバッテリー駆動式という特徴を生かし、収容時や充電時の操作性に優れた画像形成装置を提供することができる。
【００３２】
【発明の実施の形態】
以下、本発明の実施の形態について図面を参照して説明する。
【００３３】
図１は本発明の実施の形態による画像形成装置の全体構成を示す斜視図であり、画像形成装置であるところのインクジェットプリンタ、バッテリーを内蔵しプリンタ本体に着脱可能な充電装置であるところのバッテリーチャージャー、両者を取り付けた状態で縦置きに収容するための置き台であるところのクレイドルを示す。なお、このインクジェットプリンタで記録する記録媒体として紙を例にとって説明するが、本発明はこれに限らず、記録可能なシート状の媒体ならばどれでも構わない。
【００３４】
図１において、インクジェットプリンタ８００の外観は、上ケース８０１、下ケース８０２、給紙カバー８０３、排紙口カバー８０４によって構成された一体シェル構造であり、プリンタとして非使用時（据え置き時、携帯時など）は、この形態をとるものである。またインクジェットプリンタ８００の側面には、電源であるところのＡＣアダプターケーブルを差し込むＤＣｉｎジャック（直流電源入力用ジャック）８１７とＵＳＢケーブルを接続するためのＩ／Ｆコネクタ（インターフェースコネクタ）８１５が設けられている。給紙カバー８０３は記録時にプリンタ本体に対して開いて紙などの記録シートを載せるための記録シート供給トレイである。
【００３５】
次に、バッテリーチャージャー９００の外観は、メインケース９０１、カバーケース９０２、バッテリー蓋９０３によって構成され、バッテリー蓋９０３を外してメインケース９０１を開口することにより充電池であるところのバッテリーパックを取り外すことが可能である。
【００３６】
また、バッテリーチャージャー９００の、インクジェットプリンタ８００との装着面（接続面）には、電気的に接続するための本体用コネクタ９０４と、機械的に取り付け及び固定するための固定ビス９０５，９０６を有し、図１の矢印Ａ方向にプリンタ本体に接続することによってバッテリー駆動を行うことができる。さらにバッテリーチャージャー９００の天面には、バッテリーの充電状態を示す充電表示部９０９を有し、バッテリーチャージャー９００の側面には、電源であるところのＡＣアダプターケーブルを差し込むＣＨＧ−ＤＣｉｎジャック９０７と、バッテリーチャージャー９００を取り付けたときにインクジェットプリンタ８００のＤＣｉｎジャック８１７を覆うための目隠し板９０８が設けられている。
【００３７】
クレイドル９５０は、インクジェットプリンタ８００にバッテリーチャージャー９００を取り付けた状態で、図１の矢印Ｂ方向に挿入することにより置き台として機能する。
【００３８】
図２はインクジェットプリンタ８００にバッテリーチャージャー９００を装着した状態を、プリンタ背面側で且つプリンタ天面側を斜め上から見た斜視図である。
【００３９】
図２に示すように、インクジェットプリンタ８００の背面にバッテリーチャージャー９００を取り付け、固定ビス９０５，９０６で固定することにより、バッテリー駆動可能なプリンタとなる。
【００４０】
また、前述したように、バッテリーチャージャー９００に設けられた目隠し板９０８により、インクジェットプリンタ８００のＤＣｉｎジャック８１７を覆うように構成されている。このため使用者は、バッテリーチャージャー９００の取り付け時には、ＡＣアダプターケーブルを間違いなくバッテリーチャージャー９００のＣＨＧ−ＤＣｉｎジャック９０７側に差すことになるので、誤挿入を防止することができる。
【００４１】
バッテリーチャージャー９００の背面には、メインケース９０１に設けられた４ヶ所の足部９０１ａ，９０１ｂ，９０１ｃ，９０１ｄが設けられている。また、同背面には、クレイドル９５０に取り付けたときに電気的にコンタクトするための接点部９１０ａ，９１０ｂ，９１０ｃが設けられている。
【００４２】
さらに図２に示すように、バッテリーチャージャー９００の充電表示部９０９は、インクジェットプリンタ８００の装着および使用時に視認しやすい天面で、且つ給紙カバー８０３を開いていた時にも視認を遮られない位置に配されている。
【００４３】
図３はクレイドル９５０の構成を示す斜視図である。
【００４４】
図３において、クレイドル９５０の外観は、アッパーケース９５１、床面部材９５２、ボトムケース９５３（図３では不図示）、ＣＤＬ化粧板９５４，９５５によって構成されている。アッパーケース９５１の外周側面には、電源であるところのＡＣアダプターケーブルを差し込むＣＤＬ−ＤＣｉｎジャック９５６と、クレイドル９５９へのプリンタ収容時にもバッテリーチャージャー９００の充電表示部９０９を視認可能にするための窓部９５１ａ，９５１ｂが設けられている。
【００４５】
また、クレイドル９５０の内側の床面部材９５２には、バッテリーチャージャー９００を装着したインクジェットプリンタ８００を収容した時に、バッテリーチャージャー９００の足部９０１ａ，９０１ｂ，９０１ｃ，９０１ｄ（図２）を支持するＣＤＬゴム足９５７（図３では３箇所は不図示）がそれぞれ対向する位置に配されている。さらにクレイドル９５０の内側には、バッテリーチャージャー９００の接点部９１０ａ，９１０ｂ，９１０ｃと電気的にコンタクトするためのコンタクト端子部９５８ａ，９５８ｂ，９５８ｃと、これを保護するためのシャッター部材９５９が設けられている。シャッター部材９５９は、通常はコンタクト端子部９５８ａ，９５８ｂ，９５８ｃの先端が隠れる位置まで上昇しており、バッテリーチャージャー９００を装着したインクジェットプリンタ８００をクレイドル９５０に収容すると、コンタクト端子部９５８ａ，９５８ｂ，９５８ｃの先端が現れる位置まで下降する（図３は下降した状態を示す）。なお、バッテリーチャージャー９００の接点部とこれに接続するクレイドル９５０のコンタクト端子部の数量は本実施形態に限られない。
【００４６】
さらに図３に示すように、インクジェットプリンタ８００の接点部９１０ａ，９１０ｂ，９１０ｃおよびクレイドル９５０のコンタクト端子部９５８ａ，９５８ｂ，９５８ｃが、それぞれインクジェットプリンタ８００、クレイドル９５０の接続面の中央部に配置されている。そして、バッテリーチャージャー９００を前後どちらの向きの状態でクレイドル９５０に収容しても、接点部９１０ａ，９１０ｂ，９１０ｃとコンタクト端子部９５８ａ，９５８ｂ，９５８ｃが正しい配列で電気的接続がなされるように対称な位置関係に設けられており、しかも、バッテリーチャージャー９００の充電表示部９０９に対応するアッパーケース９５１の窓部９５１ａ，９５１ｂも対角位置に設けられている。従って、使用者がインクジェットプリンタ８００を前後どちらの向きでクレイドル９５０に収容しても、機能上の不具合無く装着でき、充電が可能である。
【００４７】
図４はクレイドル９５０のシャッター部材９５９の動作を説明する拡大斜視図であり、図４（ａ）はシャッター部材９５９が上昇した状態、図４（ｂ）はシャッター部材９５９が下降した状態を示す。
【００４８】
図４（ａ）に示すように、クレイドル９５０に何も収容しない状態においては、シャッター部材９５９がコンタクト端子部９５８ａ，９５８ｂ，９５８ｃを完全に覆い隠す位置まで上昇し、これらのコンタクト端子部の破損等を防止するものである。クレイドル９５０にインクジェットプリンタ８００を収容すると、図４（ｂ）に示す状態までシャッター部材９５９が下降し、コンタクト端子部９５８ａ，９５８ｂ，９５８ｃがシャッター部材９５９に設けられたスリット部９５９ａ，９５９ｂ，９５９ｃよりそれぞれ露出して、接点部９１０ａ，９１０ｂ，９１０ｃと電気的に接続可能な状態となる。
【００４９】
また、シャッター部材９５９を通常位置まで上昇させる付勢力は、インクジェットプリンタ８００はもとよりバッテリーチャージャー９００単体の重量より小さい値で設定されるものである。従って、バッテリーチャージャー９００のみをクレイドル９５０に収容した場合においても、接点部９１０ａ，９１０ｂ，９１０ｃとコンタクト端子部９５８ａ，９５８ｂ，９５８ｃは、電気的に接続可能な構成となっている。
【００５０】
図５は、バッテリーチャージャー９００を装着したインクジェットプリンタ８００をクレイドル９５０に収容した状態を示す斜視図である。
【００５１】
図５の状態において、前述のバッテリーチャージャー９００の接点部９１０とクレイドル９５０のコンタクト端子部９５８が電気的に接続されているので、クレイドル９５０のＣＤＬ−ＤＣｉｎジャック９５６にＡＣアダプターケーブルを差しておくことで、バッテリーチャージャー９００に内蔵されているバッテリーに充電が行われる。
【００５２】
図５に示すように、インクジェットプリンタ８００をクレイドル９５０に収容した状態においては、バッテリーチャージャー９００のＣＨＧ−ＤＣｉｎジャック９０７はアッパーケース９５１で覆うように構成されている。このため、使用者はクレイドル９５０の使用時に、ＡＣアダプターケーブルを間違いなくクレイドル９５０のＣＤＬ−ＤＣｉｎジャック９５６側に差すことになるので、誤挿入を防止することができる。
【００５３】
また、バッテリーチャージャー９００の充電表示部９０９は、クレイドル９５０のアッパーケース９５１に設けられた窓部９５１ａを介して視認可能に構成されているので、クレイドル９５０に収容したままでバッテリーの充電状態が確認できる。
【００５４】
また図７は、図５に示したバッテリーチャージャー９００を装着したインクジェットプリンタ８００をクレイドル９５０に収容した状態の側面図である。
【００５５】
図７に示すように、インクジェットプリンタ８００をクレイドル９５０に収容した状態においては、給紙カバー８０３が開放されない位置で支持するように構成されている。つまり、インクジェットプリンタ８００をクレイドル９５０に収容したとき、クレイドル９５０のアッパーケース９５１の内側に給紙カバー８０３が収まり、給紙カバー８０３の開動作を規制する。従って、バッテリーの充電中などに誤って給紙カバー８０３が開いたり脱落したりすることを防止できる。
【００５６】
また、図７においては、クレイドル９５０に収容した状態でインクジェットプリンタ８００のＩ／Ｆコネクタ８１５が完全に露出するようにアッパーケース９５１とＣＤＬ化粧板９５４を構成している。従って、インクジェットプリンタ８００にＵＳＢケーブルを差したままクレイドル９５０に収容しても、クレイドル９５０とケーブルは干渉することが無いので、ＵＳＢケーブルをプリンタ収容の度に外したりする必要も無く、コネクタ部が損傷したりすることも無い。なお、このようにインクジェットプリンタ８００の収容時にクレイドル９５０より露出する箇所に、光や電波などによる無線通信手段を備えたプリンタであってもよい。
【００５７】
さらに図７に示すように、クレイドル９５０の形状は、インクジェットプリンタ８００を収容する開口部の幅Ｘ（即ち、縦置き時のインクジェットプリンタ８００の設置面の幅）と、クレイドル９５０の床面への設置面の幅Ｙとの関係が、Ｘ＜Ｙ　となるように構成されている。従って、インクジェットプリンタ８００を単独で縦置きする場合に比べ、クレイドル９５０に収容して縦置きした場合のほうが遥かに安定性が増すことになるので、単独で縦置きする時のように慎重に操作したり、安定化を図るために設置面積を広げるような足部材を別アクションで出し入れしたりする必要が無く、容易に着脱が可能である。
【００５８】
前述までの実施形態においては、バッテリーを内蔵しプリンタ本体に着脱可能な充電装置と、それを装着したインクジェットプリンタを、通電機能のみを有したクレイドルに収容することによって、バッテリーに充電することが可能な構成について説明したが、本発明においてはこれに限定されるものではない。
【００５９】
即ち、別の実施形態として、バッテリーを内蔵したプリンタを充電手段を有したクレイドルに収容する構成をとることも可能であり、さらには、バッテリーと充電手段を内蔵したプリンタを通電機能のみを有したクレイドルに収容する構成をとることも可能である。
【００６０】
図６は、このような別の実施形態によるプリンタについて、プリンタ背面側で且つプリンタ天面側を斜め上から見た斜視図である。
【００６１】
図６に示すように、インクジェットプリンタ８００の背面部には、クレイドル９５０のコンタクト端子部９５８と電気的に接続するための接点部９１０が設けられており、バッテリー（不図示）を内蔵したインクジェットプリンタ８００を、充電手段を有したクレイドル９５０（図３の構成と同じ。）に直接収容することで、前記バッテリーに充電を行うことができる。また、インクジェットプリンタ８００をクレイドル９５０に収容したままでバッテリーの充電状態が確認できるように、インクジェットプリンタ８００の天面の背面側に充電表示部９０９が、クレイドル９５０のアッパーケース９５１に設けられた窓部９５１ａを介して視認可能に構成されている。さらに、使用者がインクジェットプリンタ８００を前後どちらの向きでクレイドル９５０に収容しても、充電表示部９０９が窓部９５１ａから認識可能であり、インクジェットプリンタ８００の背面の接点部９１０もクレイドル９５０のコンタクト端子部９５８と電気的に接続可能である。また、バッテリーを内蔵したインクジェットプリンタに替えて、バッテリーと充電手段を内蔵したインクジェットプリンタの構成をとっても、このプリンタ構成は図６と同じであり、このプリンタを収容するクレイドルの構成も図３と同じである。
【００６２】
さらに、このような別の実施形態のプリンタにおいても、この別形態の前に説明した図１〜５、図７の構成を適宜使用できることは言うまでもない。
【００６３】
また、これまでの説明で明らかなように、本発明は、携帯性には優れるが縦置き時の安定性に欠けるような、特に厚さ３インチ以下の薄型の画像形成装置に好適である。
【００６４】
【発明の効果】
以上説明したように、本発明によれば、置き台であるところの別体の収容スタンドに収容可能である画像形成装置を提供でき、画像形成時は平置き形態で使用し、非使用時は縦置き形態で前記収容スタンドに収容する形態をとり、さらに収容スタンドへの収容状態で画像形成装置の充電を行うことができるので、携帯性に適した薄型でバッテリー駆動方式という特徴に加え、収容時や充電時の操作性に優れた画像形成装置を提供することができる。
【図面の簡単な説明】
【図１】本発明の画像形成装置の一つの実施形態であるインクジェットプリンタの全体構成を示す斜視図である。
【図２】図１に示したインクジェットプリンタにバッテリーチャージャーを装着した状態を示す斜視図である。
【図３】図１に示したインクジェットプリンタを収容するクレイドルの構成を示す斜視図である。
【図４】図３に示したクレイドルのシャッター部材の動作を説明する拡大斜視図である。
【図５】図１に示したバッテリーチャージャーを装着したインクジェットプリンタをクレイドルに収容した状態を示す斜視図である。
【図６】本発明の別の実施形態として、充電手段を有したクレイドルに収容する、バッテリーを内蔵したプリンタを背面側から見た斜視図である。
【図７】図５に示したバッテリーチャージャーを装着したインクジェットプリンタをクレイドルに収容した状態の側面図である。
【符号の説明】
８００　　インクジェットプリンタ
８０１　　上ケース
８０２　　下ケース
８０３　　給紙カバー
８０４　　排紙口カバー
８１５　　Ｉ／Ｆコネクタ
８１７　　ＤＣｉｎジャック
９００　　バッテリーチャージャー
９０１　　メインケース
９０１ａ、９０１ｂ、９０１ｃ、９０１ｄ　　足部
９０２　　カバーケース
９０３　　バッテリー蓋
９０４　　本体用コネクタ
９０５、９０６　　固定ビス
９０７　　ＣＨＧ−ＤＣｉｎジャック
９０８　　目隠し板
９０９　　充電表示部
９１０、９１０ａ、９１０ｂ、９１０ｃ　　接点部
９５０　　クレイドル
９５１　　アッパーケース
９５１ａ　　窓部
９５２　　床面部材
９４４、９５５　　ＣＤＬ化粧板
９５６　　ＣＤＬ−ＤＣｉｎジャック
９５７　　ＣＤＬゴム足
９５８、９５８ａ、９５８ｂ、９５８ｃ　　コンタクト端子部
９５９　　シャッター部材
９５９ａ、９５９ｂ、９５９ｃ　　スリット部
【図１】
2004122482.tif 000003
【図２】
2004122482.tif 000004
【図３】
2004122482.tif 000005
【図４】
2004122482.tif 000006
【図５】
2004122482.tif 000007
【図６】
2004122482.tif 000008
【図７】
2004122482.tif 000009